(57)【要約】【課題】  従来の、さまざまな、容器や、さまざまな、目的や用途の容器のふたや、ふたといったいになったものには、ふたやふたといったいになったものの、手でさわるところ、や外側などの、ふたやふたといったいになったもの、そのものに、デザイン的や装飾的に、その他の目的や用途のものとして、あらたに、形の模様などのあるものが、利用されていなかった。【解決手段】  上記のようなことから、デザイン的や、装飾的にや、その他の目的や用途のために、立体的に、又は、へこますことにより、形をつくったものに、造形的に表現したものの模様などのついた形のあるものをつくり、容器のふたやふたといったいになったもを、機能とは、関係なく、模様などのついたふたをつくり、容器のふたやふたといったいになったものを新たに、利用できるようにしたもの。又、方法としても、利用できるようにする。【選択図】    図１
2006076654.tif 000002
【特許請求の範囲】
【請求項１】
飲料水などの、ペットボトルや、アルミ製のボトルなどや、ペットボトル型やにたようなものの、さまざまな、おおきさや、形などの、容器の、ふた、について、従来の、ふた自身の手でさわり、使用するところや、外側などに、デザイン的として、装飾的にとして、形のある、模様的などのふたのものを、つける。そして、さまざまな、おおきさや、形や、色などの模様的などのふたに、できるようにする。又、方法としても、利用できるようにする。
【請求項２】
日用品や衛生品や、その他のもので、さまざまな、おおきさや、形などの、容器の、ふた、について、従来の、ふた自身の手でさわり、使用するところや、外側などに、デザイン的として、装飾的に形のある、模様的などのふたのものを、つける。そして、さまざまな、おおきさや、形や、色などの、模様的などのふた、をつけるようにできるようにしたもの。洗剤用容器や、シャンプーなどの洗髪剤などに、利用する容器のふたなどです。又、方法としても、利用できるようにする。
【請求項３】
食品について、利用される、さまざまな、おおきさや、形などの、容器の、ふた、について、従来の、ふた自身の手でさわり、使用するところや、外側などに、デザイン的として、装飾的に形のある、模様的などのふたのものをつける。そして、さまざまな、おおきさや、形や、色などの、模様的などのふた、をつけるように、できるようにらしたもの。又、方法としても、利用できるようにする。
【請求項４】
ペット用の容器についても、さまざまな、おおきさや、形などの、容器の、ふた、について、従来の、ふた自身の手でさわり、使用するところや、外側などに、デザイン的として、装飾的に形のある、模様的などのふたのものを、つける。そして、さまざまな、おおきさや、形や、色などの、模様的などのふた、をつけるように、できるようにしたもの。又、方法としても、利用できるようにする。
【請求項５】
美容用や化粧用に、利用される容器についても、さまざまな、おおきさや、形などの、容器のふたについて、従来の、ふた自身の手でさわり、使用するところや、外側などに、デザイン的として、装飾的に形のある、模様的などのふたのものを、つける。そして、さまざまな、おおきさや、形や、色などの、模様的などのふた、をつけるように、できるようにしたもの。又、方法としても、利用できるようにする。
【請求項６】
農業用や園芸用に、利用される、容器について、さまざまな、おおきさや、形などの、容器のふたについて、従来の、ふた自身の手でさわり、使用するところや、外側などに、デザイン的として、装飾的に形のある、模様などのふたのものを、つける。そして、さまざまな、おおきさや、形や、色などの、ふた、をつける。そして、さまざまな、おおきさや、形や、色などの、模様的などのふた、をつけるよつに、できるようにしたもの。又、方法としても、利用できるようにする。
【請求項７】
シャンプーや、リンスなどの、ような、ものや、そのような、形のした、容器や、その他のにたような、容器などの、おしだすようなものの、栓のようなものの、ふたを利用した、さまざまな、容器のふたについても、さまざまな、おおきさや、形などの、容器のふたについて、従来の、ふた自身の手でさわり、使用するところや、外側などに、デザイン的として、装飾的に形のある、模様などのふたのものを、つける。そして、さまざまな、おおきさや、形や、色などの、模様などのふた、をつける。又、方法としても、利用できるようにする。
【請求項８】
家庭用や工業用や商業用や医療用や衛生品やその他について、利用される、容器について、さまざまな、おおきさや、形や、色などの、容器のふたについて、従来の、ふた自身手でさわり、使用するところや、外側などに、デザイン的として、装飾的に、形のある、模様的などのふたのものをつける。そして、さまざまな、おおきさや、形や、色などの、ふた、のものをつける。そして、さまざまな、おおきさや、形や、色などの模様的などのふたを、つけるように、できるようにしたもの。又、方法としても、利用できるようにする。
【請求項９】
散布器や散布機などについても、さまざまな、おおきさや、形や、色などの、散布器や散布機について、ふたや、ふたといったいになったふたについても、従来のふたやふたといったいになったところなどに、デザイン的として、装飾的に、ふたや、ふたといったいになったところに、形のある、模様的などの、ふたのものをつける。そして、さまざまな、おおきさや、形や、色などの模様的などのふたを、つけるように、できるようにしたもの。又、方法としても、利用できるようにする。
【請求項１０】
医療用などについても、さまざまな、おおきさや、形や、色などに利用される、容器についても、さまざまな、おおきさや、形や、色などの、容器のふたについても、ふた自身の手でさわり、使用するところや、外側などに、デザイン的として、装飾的に、形のある、模様的などがついた、ふたのものをつける。そして、さまざまな、おおきさや、形や、色などの、模様的などのふたを、つけるように、できるようにしたもの。又、方法としても、利用できるようにする。
【発明の詳細な説明】
【技術分野】
【０００１】  本発明は、さまざな、容器のふたや、ふたといったいになったものに、関する。
【背景技術】
【０００２】  従来の、さまざまな、容器のふたやふたといったいになったものは、ふたの、手でさわり、の使用するところや、外側などに、ふたそのものについて、本来の機能をするところの、デザイン的として、形のある模様などのついたものが、つくられ、利用されていなかった。【０００３】  以下、図１３図１４図１５図１６図１７図１８図１９図２０図２１図２２図２３図２４により、従来のさまざまな、容器のふたの、せつめいをする。【０００４】
【特許文献１】
【非特許文献】
【発明の開示】
【発明が解決しようとする課題】
【０００５】  以上に述べた従来の、さまざまな、容器のふたやふたといったいになったものは、ふたの手でさわり、使用するところ、や外側などに、本来の機能とは、関係なく、デザイン的として、装飾的として、立体的に造形的に表現したもの、形の模様などのついたふたが、つくられ、利用できるようにする。【０００６】  本発明は、このような従来の構成が、有していた問題東、解決しようとしたものであり、さまざまな、産業用などのプラスチック製やその他なとの、容器のふたやふたといったいになったものの機能とは、関係なく、ふたに、あらたに、装飾的に、立体的に、又は、へこましすことにより、造形的に、表現したものの形をした、模様などのついた形のあるふたやふたといったいになったものを、つけられるようにできるように実現することを、目的とするものである。
【課題を解決するための手段】
【０００７】  そして、本発明は、上記の目的を達成するために、さまざまな、容器のふたやふたといったいになったものの機能とは、関係なく、ふたやふたといったいになったものに、本来の手でさわり、使用するところになどに、デザイン的として、装飾的に、立体的に、又は、へこますことにより、形をつくったものに、造形的に、表現したものとして、その他の目的や用途のためとして、などで、さまざまな、おおきさや、形や、色などの、模様などのついた産業用などの、ふたやふたといったいになったものをつくり、利用できるようにする。又、ふたのかずや位置については、さまざまに、いろいろに、できるようにした。
【発明の効果】
【０００８】  上述のように、本発明のふたやふたといったいになったものは、さまざまな、おおきさや形や色などの、ふたやふたといったいになったものになり、デザイン的として、装飾的として、造形的に、ふたやふたといったいになったものは、そのものが、模様などのついた、あたらしいものとなった。
【発明を実施するための最良の形態】
【０００９】  本発明は、従来のように、さまざまな、目的や用途の容器のふたやふたといったいになったものについて、新たな感覚のものとして、利用できるようにする。
【産業上の利用可能性】
【００１０】  上述したとおり、本発明を、従来の、さまざまな、おおきさや、形などの、容器や、さまざまな、目的や用途の容器のふたやふたといったいになったものについて、あたらしいものが、利用できるようにする。
【図面の簡単な説明】
【００１１】
【図１】  本発明の、実態形態を示す、容器のふたがついた、容器
【図２】  本発明の、実態形態を示す、容器のふたがついた、容器
【図３】  本発明の、実態形態を示す、容器のふたがついた、容器
【図４】  本発明の、実態形態を示す、容器のふたがついた、容器
【図５】  本発明の、実態形態を示す、容器のふたがついた、容器
【図６】  本発明の、実態形態を示す、容器のふたがついた、容器
【図７】  本発明の、実態形態を示す、容器のふたがついた、容器
【図８】  本発明の、実態形態を示す、容器のふたがついた、容器
【図９】  本発明の、実態形態を示す、容器のふたがついた、容器
【図１０】  本発明の、実態形態を示す、容器のふたがついた、容器
【図１１】  本発明の、実態形態を示す、容器のふたがついた、容器
【図１２】  本発明の、実態形態を示す、容器のふたがついた、容器
【図１３】  従来の容器
【図１４】  従来の容器
【図１５】  従来の容器
【図１６】  従来の容器
【図１７】  従来の容器
【図１８】  従来の容器
【図１９】  従来の容器
【図２０】  従来の容器
【図２１】  従来の容器
【図２２】  従来の容器
【図２３】  従来の容器
【図２４】  従来の容器
【符号の説明】
【００１２】  １      本発明のふた
２      容器
３      本発明のふた
４      容器
５      本発明のふた
６      容器
７      本発明のふた
８      容器
９      本発明のふた
１０    容器
１１    本発明のふた
１２    容器
１３    本発明のふた
１４    容器
１５    本発明のふた
１６    容器
１７    本発明のふた
１８    容器
１９    本発明のふた
２０    容器
２１    本発明の部分
２２    容器
２３    本発明の部分
２４    容器
２５    容器
２６    容器
２７    容器
２８    容器
２９    容器
３０    容器
３１    容器
３２    容器
３３    容器
３４    容器
３５    容器
３６    容器
【図１】
2006076654.tif 000003
【図２】
2006076654.tif 000004
【図３】
2006076654.tif 000005
【図４】
2006076654.tif 000006
【図５】
2006076654.tif 000007
【図６】
2006076654.tif 000008
【図７】
2006076654.tif 000009
【図８】
2006076654.tif 000010
【図９】
2006076654.tif 000011
【図１０】
2006076654.tif 000012
【図１１】
2006076654.tif 000013
【図１２】
2006076654.tif 000014
【図１３】
2006076654.tif 000015
【図１４】
2006076654.tif 000016
【図１５】
2006076654.tif 000017
【図１６】
2006076654.tif 000018
【図１７】
2006076654.tif 000019
【図１８】
2006076654.tif 000020
【図１９】
2006076654.tif 000021
【図２０】
2006076654.tif 000022
【図２１】
2006076654.tif 000023
【図２２】
2006076654.tif 000024
【図２３】
2006076654.tif 000025
【図２４】
2006076654.tif 000026